(57)【要約】  【課題】  横架材の構造材に対する組付けを能率的に行える装置を提供する。  【解決手段】  柱１に接合金具２を取付け、該接合金具２に前記柱１と接合する横架材３に設けた掛止材１１の受止縁１２を設けた横架材の接合装置であって、前記受止縁１２を、前記接合金具２の上端縁の、前記柱１側の端縁を最も低位置として前記横架材長手方向に漸次上昇する傾斜縁部で構成する。【選択図】    図１
2005090162.tif 000002
【特許請求の範囲】
【請求項１】
柱、胴差などの構造材に接合金具を取付け、該接合金具に前記構造材と接合する横架材に設けた掛止材の受止縁を設けた横架材の接合装置において、前記受止縁を、前記接合金具の上端縁の、前記構造材側の端縁を最も低位置として前記横架材長手方向に漸次上昇する傾斜縁部で構成した、横架材の接合装置。
【請求項２】
構造材に止着した取付部片に相対して側部片を連設して接合金具を構成し、該接合金具の上端縁に傾斜縁部を設けた、請求項１記載の横架材の接合装置。
【請求項３】
横架材の端部に係合溝を設け、該係合溝に一対の側板と該側板の上端の構造材側の端縁に設けた掛止材とで成る組付け金具を係合して取付け、該組付け金具の前記側板と該側板間に介在させて前記係合溝に係合する接合金具の側板を、横架材の前記端部に嵌挿する接合杆で接続するようにした、請求項２記載の横架材の接合装置。
【請求項４】
横架材の端部に係合溝を設け、主体板と該主体板の上端の構造材側の端縁に設けた掛止材とで成る、一対の組付け金具を該係合溝に係合して取付け、該組付け金具の前記主体板と該主体板間に介在させて前記係合溝に係合する接合金具の側板を、横架材の前記端部に嵌挿する接合杆で接続するようにした請求項２記載の横架材の接合装置。
【発明の詳細な説明】
【技術分野】
【０００１】
本発明は、梁や桁などの横架材を、柱や胴差などの構造材に接合するために用いる、木造建物における横架材の接合装置に関するものである。
【背景技術】
【０００２】
柱、胴差などの構造材に接合金具を取付け、該接合金具に前記構造材と接合する横架材に設けた掛止材の受止縁を設けた横架材の接合装置は公知で、例えば、構造材に止着した取付部片に相対して側部片を連設した接合金具の前記側部片の上端縁の中間部に略Ｖ字状の切欠を設けてこれを前記受止縁とし、該受止縁に掛止する掛止材を横架材の端部に嵌挿した掛止杆で構成した構造のものがある（特許文献１）。
【０００３】
【特許文献１】特開２００３−２２７１７５号公報
【発明の開示】
【発明が解決しようとする課題】
【０００４】
横架材を構造材に組付ける際、前記の従来例は構造材に取付けた接合金具に設けた切欠に横架材側に設けた掛止杆を係合させなければならないのであるが、該作業は構造材の位置が定まらず、いわばグラグラの状態のときに行われるから煩雑である。
また、切欠の底縁に掛止杆を受止させる構成を採り、受止させることによって引寄せ効果を図るため、横架材に対する掛止杆或いは構造材に対する接合金具の取付け位置や接合金具に設ける切欠の形成位置やその形状等々熟練を要する取付精度や加工精度を必要とする。
【０００５】
本発明は、斯様な従来例の欠点を可及的に除去した横架材の接合装置を提供すべく創案したものである。
【課題を解決するための手段】
【０００６】
柱、胴差などの構造材に接合金具を取付け、該接合金具に前記構造材と接合する横架材に設けた掛止材の受止縁を設けた横架材の接合装置において、前記受止縁を、前記接合金具の上端縁の、前記構造材側の端縁を最も低位置として前記横架材長手方向に漸次上昇する傾斜縁部で構成したものとするのである。
【０００７】
なお、構造材に止着した取付部片に相対して側部片を連設して接合金具を構成し、該接合金具の上端縁に傾斜縁部を設けた構成にすることにより傾斜縁部を簡単に得ることができ、また、横架材の端部に係合溝を設け、該係合溝に一対の側板と該側板の上端の構造材側の端縁に設けた掛止材とで成る組付け金具を係合して取付け、該組付け金具の前記側板と該側板間に介在させて前記係合溝に係合する接合金具の側板を、横架材の前記端部に嵌挿する接合杆で接続するようにした構成にしたり、或いは、横架材の端部に係合溝を設け、主体板と該主体板の上端の構造材側の端縁に設けた掛止材とで成る、一対の組付け金具を該係合溝に係合して取付け、該組付け金具の前記主体板と該主体板間に介在させて前記係合溝に係合する接合金具の側板を、横架材の前記端部に嵌挿する接合杆で接続するようにした構成にすることにより構造材に対して横架材を確実に接合し、接合状態が安定した接合装置を提供することができる。
【発明の効果】
【０００８】
本発明は、構造材側の端縁を最も低位置として横架材長手方向に漸次上昇する傾斜縁部を接合金具の上端縁に設けて受止縁としたものであるから、横架材側の掛止材を接合金具の上端縁に載置するだけで、該掛止材は構造材方向に移動して引寄せ操作が行われ、掛止材を案内する傾斜状の受止縁の最も低位置の部分が構造材側の端縁部であるから、掛止材はその常況によって構成材方向に限りなく近づくことになり、加工精度や組付精度上の誤差を可及的に吸収して横架材の構造材に対する、安定した組付け状態を得ることができる。
【実施例】
【０００９】
図面は、本発明に係る横架材の接合装置の一実施例を示し、図１は縦断面図、図２は横断面図、図３は接合金具の斜視図、図４は組付け金具の斜視図、図５は第二実施例の組付け金具の斜視図である。
【００１０】
実施例の接合装置は、柱（胴差でも良い）１側に接合金具２を、梁、桁などの横架材３側に組付け金具４をそれぞれ取付け、接合金具２と組付け金具４を互いに固定することにより前記横架材３を前記柱１に接合するようにしたものである。
【００１１】
接合金具２は、取付部片５と該部片５の両側に相対して連設した側部片６，６とで成り、取付部片５に柱１に取付けるためのボルト７の貫通用の透孔８を、また、側部片６に前記組付け金具４と横架材３に組付けるための組付け杆９貫通用の透孔１０をそれぞれ設け、側部片６の上端縁６ａに、前記取付部片５側の端縁すなわち接合金具２を柱１に取付けたときの柱１側の端縁６ａ´を最も低位置として柱１の長手方向（側部片６の先端方向）に漸次上昇する傾斜縁を設け（実施例では上端縁６ａに部分的に設けてあるが、全域でも差し支えはない）、該傾斜縁部を前記組付け金具４に設けた掛止材１６を掛止する受止縁１２としたものである。
【００１２】
この接合金具２は、柱１の、横架材３との接合面１ａに設けた貫通孔１３に透孔８を一致させて取付部片５を前記接合面１ａに重ね合わせ、透孔８と貫通孔１３に透孔８側から前記ボルト７を貫通させ、前記接合面１ａに相対する柱１の一側面１ｂより突出するボルト先端にナット１４を螺合締付けて柱１に取付け、前記接合面１ａから突出させるようにして用いるのである。
【００１３】
なお、側部片６の下端縁６ｂ側に、前記受止縁１２を構成する傾斜縁と上下対称的な傾斜縁１２´を設けてあるが、これは接合金具２上下逆さに当該傾斜縁１２´を受止縁として適用できるようにしたもので、前記透孔８および貫通孔１３はこの傾斜縁１２´と同様に取付部片５又は側部片６に上下対称的に設けてある。
【００１４】
前記組付け金具４は、相対する一対の側板１５，１５と該側板１５，１５の上端の一端（先端）側にこれら側板１５，１５を連結した前記掛止材１６とで成り、側板１５の前記一端（組付け金具４を横架材３に取付けたときの柱１側の一端）に接合金具２の側部片６に設けた透孔１０と一致する位置にして透孔１７，１７，１７を縦方向に並べて、また、この透孔１７側の一端に対応する他の一端側に透孔１８を設けて構成したもので、前記掛止材１６は側板１５，１５を連結する水平状の基部片１６ａの一端側に、接合金具２の側部片６に設けた受止縁１２と略同角度に傾斜させた掛止部片１６ｂを前記柱１側方向にして突設し、この掛止部片１０ｂの上側先端部両側には、方形状の前記側板１５の、前記一端側の隅部を折曲して設けた補強部片１６ｃを重ね合わせて構成したものである。
【００１５】
この組付け金具４は、横架材３の端部に設けた係合溝１９に係合させて該端部に取付けて用いる。すなわち、係合溝１９を開口端側の大径部１９ａと該大径部１９ａの奥壁の両隅部に横架材３長手方向にして設けたスリット部１９ｂ，１９ｂとで構成し、この係合溝１９のスリット部１９ｂに側板１５を係合するようにして掛止材１１側の、組付け金具４の先部分を前記大径部１９ａ内に収納させ、側板１５に設けた透孔１８と該透孔１８に一致させて設けた貫通孔２０に固定杆２１を嵌挿して横架材３端部に取付けたものである。
【００１６】
そして、前記の通りに柱１の接合面１ａに取付けた前記接合金具２の上方に横架材３の前記係合溝１９を位置させ、かつ、組付け金具４の側板１５，１５間に接合金具２の側部片６，６を介在させるようにして横架材３を降下させると、横架材３は、組付け金具４の側板１５，１５間に側部片６，６を係合させつつ柱１に沿って降下し、組付け金具４の掛止材１６が接合金具２の側部片６，６に掛止され、この掛止状態で、掛止材１６の掛止部片１６ｂの傾斜面が、接合金具２の側部片６の受止縁１２の傾斜面上に載置され、傾斜に沿って移動して横架材３の柱１側への引き寄せ操作が行われ、横架材３は柱１に組付けられ、横架材３の柱１に対する仮止め（掛止）状態を得、次いで、横架材３の端部に前記貫通孔２０と同様にして設けた他の貫通孔２２を通じて互いに一致する側板１５（組付け金具４の）に設けた透孔１７と側部片６（接合金具２の）に設けた透孔１０に前記組付け杆９を嵌挿することによって横架材３の柱１に対する接合状態を得ることができるのである。
【００１７】
なお、実施例の掛止材１６は掛止部片１６ｂを主要部材として構成してあるが、実施例の当該掛止材１６に代えて側板１５，１５を連結する杆体（断面円形が製造上好適であるが、傾斜縁１２と一致する傾斜面を備えた断面角形のものでも良い）などの連結体を用いても差し支えなく、該連結体は熔接手段で側板１５，１５に止着される。また、補強部片１６ｃは掛止部片１６ｂの上側に重なり合って掛止部片１６ｂの屈曲変形を防止し、掛止部片１６ｂは基部片１６ｂにその基端を連続させたものであるから、傾斜縁１２の傾斜角度に一致するように自在に傾斜加工ができ、全体として煩雑な熔接手段を用いずにプレス加工のみで組付け金具４を得ることができる。
【００１８】
図５は、組付け金具の変形例を示し、この組付け金具４Ａを用いた第二実施例は、第一実施例の側板１５と同様に透孔１７，１８を設けた主体板１５Ａと該主体板１５Ａの上端の前記柱１側の端縁に設けた前記受止縁１２と略同角度に傾斜させた掛止材１６Ａとで組付け金具４Ａを構成し、互いに対称的な（掛止材１６Ａとの位置が）この一対の組付け金具４Ａ，４Ａを、横架材３に設けた係合溝１９のスリット部１９ｂに主体板１５Ａを係合するようにして掛止材１６Ａ側の組付け金具４Ａの先部分を前記大径部１９ａ内に収納させ、主体板１５Ａに設けた透孔１８と該透孔１８に一致させて横架材３側に設けた貫通孔２０に固定杆２１を嵌挿して横架材３端部に取付けて用い、主体板１５Ａ，１５Ａ間に第一実施例の場合と同様に接合金具２を介在させ、かつ、掛止材１６Ａを傾斜縁１２上に載置するようにして組合わせ、第一実施例と同様に組付け杆９を主体板１５Ａと側部片６に嵌挿して横架材３を構造材である柱１に接合するものである。
【図面の簡単な説明】
【００１９】
【図１】縦断面図。
【図２】横断面図。
【図３】接合金具の斜視図。
【図４】組付け金具の斜視図。
【図５】第二実施例の組付け金具の斜視図
【符号の説明】
【００２０】
１      柱
２      接合金具
３      横架材
１１    掛止材
１２    受止縁
【図１】
2005090162.tif 000003
【図２】
2005090162.tif 000004
【図３】
2005090162.tif 000005
【図４】
2005090162.tif 000006
【図５】
2005090162.tif 000007